(57)【要約】    【課題】      スループットの劣化を抑制すること。    【解決手段】  Ａ−ＤＰＣＨ送信電力設定部１１５は、Ａ−ＤＰＣＨを割り当てられた各移動局装置（ＭＳ）に対して送信電力ＰＡ−ＤＰＣＨ，ｉを設定する。目標誤り率設定部１１３は、各ＭＳ宛ての制御情報を送信する場合のＨＳ−ＳＣＣＨの目標受信誤り率Target_BLERを、前記各ＭＳとの間の伝搬環境に基づいて個別に設定する。ＨＳ−ＳＣＣＨ送信電力設定部１１４は、設定された送信電力ＰＡ−ＤＰＣＨ，ｉおよび目標受信誤り率Target_BLERに基づいて、各ＭＳ宛ての制御情報を送信する場合のＨＳ−ＳＣＣＨの送信電力ＰＨＳ−ＳＣＣＨ，ｉを設定する。  【選択図】      図２
2005303836.tif 000002
【特許請求の範囲】
【請求項１】
Ａ−ＤＰＣＨを割り当てられた各移動局装置に対してＡ−ＤＰＣＨの送信電力を設定する第１送信電力設定手段と、
前記各移動局装置宛ての制御情報を送信する場合のＨＳ−ＳＣＣＨの目標受信誤り率を、前記各移動局装置との間の伝搬環境に基づいて個別に設定する誤り率設定手段と、
設定された送信電力および目標受信誤り率に基づいて、前記制御情報を送信する場合のＨＳ−ＳＣＣＨの送信電力を設定する第２送信電力設定手段と、
を有することを特徴とする無線送信装置。
【請求項２】
前記移動局装置から報告され受信品質に関する報告値を取得する取得手段を有し、
前記誤り率設定手段は、
取得された報告値に基づいて、目標受信誤り率の設定を行う、
ことを特徴とする請求項１記載の無線送信装置。
【請求項３】
前記移動局装置との間のドップラー周波数を検知する検知手段を有し、
前記誤り率設定手段は、
検知されたドップラー周波数に基づいて、目標受信誤り率の設定を行う、
ことを特徴とする請求項２記載の無線送信装置。
【請求項４】
前記誤り率設定手段は、
報告値毎に予め指定された目標受信誤り率を示す複数のテーブルをドップラー周波数に対応づけて記憶する記憶手段と、
前記複数のテーブルの中から、検知されたドップラー周波数に対応するものを選択するテーブル選択手段と、
選択されたテーブルに示された目標受信誤り率の中から、取得された報告値に対応するものを選択する誤り率選択手段と、
を有することを特徴とする請求項３記載の無線送信装置。
【請求項５】
前記記憶手段は、
第１のドップラー周波数および前記第１のドップラー周波数よりも低い第２のドップラー周波数にそれぞれ対応づけられた第１のテーブルおよび第２のテーブルを記憶し、
前記第１のテーブルにおける一の報告値に対する目標受信誤り率は、前記第２のテーブルにおける同報告値に対する目標受信誤り率よりも低くなるように指定されている、
ことを特徴とする請求項４記載の無線送信装置。
【請求項６】
前記記憶手段は、
第１のドップラー周波数および前記第１のドップラー周波数よりも低い第２のドップラー周波数にそれぞれ対応づけられた第１のテーブルおよび第２のテーブルを記憶し、
前記第１のテーブルおよび前記第２のテーブルの目標受信誤り率は、報告値の上昇に伴って段階的に低下し報告値の低下に伴って段階的に上昇するように指定されており、
前記第１のテーブルの目標受信誤り率は、前記第２のテーブルの目標受信誤り率に比して、その段階的な低下または上昇がより小刻みとなるように指定されている、
ことを特徴とする請求項４記載の無線送信装置。
【請求項７】
Ａ−ＤＰＣＨを割り当てられた移動局装置に対してＡ−ＤＰＣＨの送信電力を設定する第１送信電力設定ステップと、
前記移動局装置宛ての制御情報を送信する場合のＨＳ−ＳＣＣＨの目標受信誤り率を、前記移動局装置との間の伝搬環境に基づいて個別に設定する誤り率設定ステップと、
設定した送信電力および目標受信誤り率に基づいて、前記制御情報を送信する場合のＨＳ−ＳＣＣＨの送信電力を設定する第２送信電力設定ステップと、
を有することを特徴とする送信電力制御方法。
【発明の詳細な説明】
【技術分野】
【０００１】
本発明は、無線送信装置および送信電力制御方法に関し、特に、ＨＳＤＰＡ（High Speed Downlink Packet Access）方式を適用したセルラ型無線通信システムにおいて用いられる無線送信装置および送信電力制御方法に関する。
【背景技術】
【０００２】
近年、ＨＳＤＰＡ方式が３ＧＰＰ（3rd Generation Partnership Project）で検討されている。ＨＳＤＰＡは、セルラ型無線通信システムの基地局装置から移動局装置への下り回線において高速でデータ（パケット）を伝送するための技術である。ＨＳＤＰＡでは、高速パケットデータサービスを支援するために、ＨＳ−ＤＳＣＨ（High Speed - Downlink Shared CHannel）、Ａ−ＤＰＣＨ（Associated - Dedicated Physical CHannel）、ＨＳ−ＳＣＣＨ（High Speed - Shared Control CHannel）などの複数のチャネルが用いられる。
【０００３】
図７は、基地局装置（ＢＳ）および移動局装置（ＭＳ）の間での、これらのチャネルの送信順を例示するものであり、図８は、これらのチャネルの送信タイミングを示すものである。ＨＳ−ＤＳＣＨは、パケットの伝送に使用される下り方向の共有チャネルであり、異なるユーザ宛てのユーザデータが２msのサブフレーム毎に伝送される。ＨＳ−ＳＣＣＨは、ＨＳ−ＤＳＣＨに対応する下り方向の制御チャネルであり、制御情報が伝送される。制御情報には、例えば、ＨＳ−ＤＳＣＨの変調方式、チャネライゼーションコード、符号化率およびトランスポートブロックサイズを示すＴＦＲＩ（Transport Format and Resource related Information）、ＨＡＲＱ（Hybrid Automatic Repeat reQuest）に関連する情報ならびに送信先を識別するための識別情報が含まれる。Ａ−ＤＰＣＨは、共有チャネルに付随する、上り方向および下り方向の付随チャネルであり、ＴＰＣ（Transmission Power Control）コマンドなどが伝送される。また、Ａ−ＤＰＣＨは、基地局装置と無線通信する移動局装置毎に割り当てられる個別チャネルである。上述したように、ＨＳ−ＳＣＣＨを通して識別情報および制御情報が送信された後、ＨＳ−ＤＳＣＨを通してデータが送信される。ＨＳ−ＤＳＣＨの送信タイミングは、ＨＳ−ＳＣＣＨの送信タイミングよりも２スロット分（２／３ms）だけ遅れている。
【０００４】
これらのチャネル構成に関連して、例えば特許文献１では、ＨＳ−ＳＣＣＨの送信電力を、Ａ−ＤＰＣＨの送信電力に基づいて決定する方法が提案されている。より具体的には、下り方向のＡ−ＤＰＣＨにおけるいずれかのフィールドの送信電力値、および、下り方向のＡ−ＤＰＣＨにおける対応スロットの送信電力値を利用する。ＨＳ−ＳＣＣＨの送信電力は、Ａ−ＤＰＣＨの送信電力値に対する相対的な電力オフセット値で決定される。また、ＨＳ−ＳＣＣＨの送信電力を決定する電力オフセット値は、下り方向のＡ−ＤＰＣＨのソフトハンドオーバ状態に応じて変更される。このようにして、電力の浪費を抑えつつ、ＨＳ−ＳＣＣＨの送信電力を移動局装置毎に調整する。
【特許文献１】特開２００３−２９８５０８号公報
【発明の開示】
【発明が解決しようとする課題】
【０００５】
しかしながら、上記従来の送信電力制御方法においては、どの移動局装置に対しても受信誤り率が一定となるように、ＨＳ−ＳＣＣＨの送信電力が制御される。すなわち、比較的伝搬環境が良い移動局装置でも、比較的伝搬環境が悪い移動局装置でも、同確率で誤りが発生することとなる。また、伝搬環境の良い移動局装置に対しては、より多量のデータが送信されるため、スループットに及ぼす影響が大きい。よって、伝搬環境の良い移動局装置がＨＳ−ＳＣＣＨの受信に失敗した場合、損失するＨＳ−ＤＳＣＨのデータ量が大きいため、スループットを劣化させてしまう。
【０００６】
本発明は、かかる点に鑑みてなされたもので、スループットの劣化を抑制することができる無線送信装置および送信電力制御方法を提供することを目的とする。
【課題を解決するための手段】
【０００７】
本発明の無線送信装置は、Ａ−ＤＰＣＨを割り当てられた各移動局装置に対してＡ−ＤＰＣＨの送信電力を設定する第１送信電力設定手段と、前記各移動局装置宛ての制御情報を送信する場合のＨＳ−ＳＣＣＨの目標受信誤り率を、前記各移動局装置との間の伝搬環境に基づいて個別に設定する誤り率設定手段と、設定された送信電力および目標受信誤り率に基づいて、前記制御情報を送信する場合のＨＳ−ＳＣＣＨの送信電力を設定する第２送信電力設定手段と、を有する構成を採る。
【０００８】
また、本発明の無線送信装置は、上記構成において、前記移動局装置から報告され受信品質に関する報告値を取得する取得手段を有し、前記誤り率設定手段は、取得された報告値に基づいて、目標受信誤り率の設定を行う、構成を採る。
【０００９】
これらの構成によれば、Ａ−ＤＰＣＨを割り当てられた各移動局装置宛ての制御情報を送信する場合のＨＳ−ＳＣＣＨの目標受信誤り率を、各移動局装置との間の伝搬環境、例えば受信品質に関する報告値（すなわちＣＱＩ：Channel Quality Indicator）に基づいて個別に設定するため、ＨＳ−ＳＣＣＨの送信電力を移動局装置毎に個別に設定することができ、例えば伝搬環境の良い移動局装置宛ての制御情報を送信する場合の受信成功率を高くすることができ、ユーザあたりまたはセクタあたりのスループットを向上することができ、ひいてはシステム全体のスループットの劣化を抑制することができる。
【００１０】
本発明の無線送信装置は、上記構成において、前記移動局装置との間のドップラー周波数を検知する検知手段を有し、前記誤り率設定手段は、検知されたドップラー周波数に基づいて、目標受信誤り率の設定を行う、構成を採る。
【００１１】
また、本発明の無線送信装置は、上記構成において、前記誤り率設定手段は、報告値毎に予め指定された目標受信誤り率を示す複数のテーブルをドップラー周波数に対応づけて記憶する記憶手段と、前記複数のテーブルの中から、検知されたドップラー周波数に対応するものを選択するテーブル選択手段と、選択されたテーブルに示された目標受信誤り率の中から、取得された報告値に対応するものを選択する誤り率選択手段と、を有する構成を採る。
【００１２】
これらの構成によれば、受信品質に関する移動局装置からの報告値だけでなくフェージングの激しさの度合いに応じて目標受信誤り率の設定を行うことができ、スループットの劣化をより確実に防止することができる。また、目標受信誤り率を示すテーブルを予め用意しておくため、目標受信誤り率の設定を効率的に行うことができる。
【００１３】
本発明の無線送信装置は、上記構成において、前記記憶手段は、第１のドップラー周波数および前記第１のドップラー周波数よりも低い第２のドップラー周波数にそれぞれ対応づけられた第１のテーブルおよび第２のテーブルを記憶し、前記第１のテーブルにおける一の報告値に対する目標受信誤り率は、前記第２のテーブルにおける同報告値に対する目標受信誤り率よりも低くなるように指定されている、構成を採る。
【００１４】
この構成によれば、比較的高いドップラー周波数に対応づけられたテーブルにおける一の報告値に対する目標受信誤り率が、比較的低いドップラー周波数に対応づけられたテーブルにおける同報告値に対する目標受信誤り率よりも低くなるように指定されているため、例えば、移動局装置の移動速度が比較的速く伝搬環境の変動が比較的激しい場合に伝搬環境の良い移動機に対して受信成功率を高めることができるとともに、伝搬環境の変動が比較的激しくない場合に電力リソースの浪費を防止することができる。
【００１５】
本発明の無線送信装置は、上記構成において、前記記憶手段は、第１のドップラー周波数および前記第１のドップラー周波数よりも低い第２のドップラー周波数にそれぞれ対応づけられた第１のテーブルおよび第２のテーブルを記憶し、前記第１のテーブルおよび前記第２のテーブルの目標受信誤り率は、報告値の上昇に伴って段階的に低下し報告値の低下に伴って段階的に上昇するように指定されており、前記第１のテーブルの目標受信誤り率は、前記第２のテーブルの目標受信誤り率に比して、その段階的な低下または上昇がより小刻みとなるように指定されている、構成を採る。
【００１６】
この構成によれば、比較的高いドップラー周波数に対応づけられたテーブルの目標受信誤り率の段階的な変動が、比較的低いドップラー周波数に対応づけられたテーブルの目標受信誤り率の段階的な変動よりも小刻みとなるように指定されているため、例えば、移動局装置の移動速度が比較的速く伝搬環境の変動が比較的激しい場合において、伝搬環境の良い移動機に対して受信成功率を高めることができるとともに、目標受信誤り率の段階的な変動を小刻みに指定しない場合に比べて電力リソースの浪費を防止することができる。
【００１７】
本発明の送信電力制御方法は、Ａ−ＤＰＣＨを割り当てられた移動局装置に対してＡ−ＤＰＣＨの送信電力を設定する第１送信電力設定ステップと、前記移動局装置宛ての制御情報を送信する場合のＨＳ−ＳＣＣＨの目標受信誤り率を、前記移動局装置との間の伝搬環境に基づいて個別に設定する誤り率設定ステップと、設定した送信電力および目標受信誤り率に基づいて、前記制御情報を送信する場合のＨＳ−ＳＣＣＨの送信電力を設定する第２送信電力設定ステップを有するようにした。
【００１８】
この方法によれば、Ａ−ＤＰＣＨを割り当てられた各移動局装置宛ての制御情報を送信する場合のＨＳ−ＳＣＣＨの目標受信誤り率を、各移動局装置との間の伝搬環境、例えば受信品質に関する報告値に基づいて個別に設定するため、ＨＳ−ＳＣＣＨの送信電力を移動局装置毎に個別に設定することができ、例えば伝搬環境の良い移動局装置宛ての制御情報を送信する場合の受信成功率を高くすることができ、ユーザあたりまたはセクタあたりのスループットを向上することができ、ひいてはシステム全体のスループットの劣化を抑制することができる。
【発明の効果】
【００１９】
以上説明したように、本発明によれば、スループットの劣化を抑制することができる。
【発明を実施するための最良の形態】
【００２０】
本発明の骨子は、Ａ−ＤＰＣＨを割り当てられた各移動局装置宛ての制御情報を送信する場合のＨＳ−ＳＣＣＨの目標受信誤り率を、各移動局装置との間の伝搬環境に基づいて個別に設定することである。
【００２１】
以下、本発明の実施の形態について、図面を用いて詳細に説明する。
【００２２】
図１は、本発明の一実施の形態に係る基地局装置を有するセルラ型無線通信システムの構成図である。図１のセルラ型無線通信システムは、ネットワーク１０、無線ネットワーク制御装置（ＲＮＣ）２０、基地局装置（ＢＳ）３０および移動局装置（ＭＳ）４０ａ、４０ｂを有する。基地局装置３０は、上位局たるＲＮＣ２０から送信データを渡され、スケジューリングを行い、スケジューリングの結果に従って送信データを移動局装置４０ａ、４０ｂに無線送信する。
【００２３】
図２は、基地局装置３０の内部構成を示すブロック図である。図２に示す基地局装置３０は、アンテナ１０１、ＲＦ部１０２、ＭＵＸ１０３、復調部１０４、ＡＣＫ／ＮＡＣＫ／ＤＴＸ抽出部１０５、ＣＱＩ抽出部１０６、ｆＤ検知部１０７、ＴＰＣ抽出部１０８、スケジューリング係数計算部１０９、ＴＦＲ選択部１１０、ＩＤ通知部１１１、テーブル選択部１１２、目標誤り率設定部１１３、ＨＳ−ＳＣＣＨ送信電力設定部１１４、Ａ−ＤＰＣＨ送信電力設定部１１５、プライオリティキュー１１６、スイッチ１１７、ＴＢ作成部１１８、ＨＡＲＱ部１１９、変調部１２０、Ａ−ＤＰＣＨ用信号生成部１２１−１、１２１−２、…、１２１−Ｍ（Ｍは２以上の整数）、ＨＳ−ＳＣＣＨ用信号生成部１２２および乗算部１２３−１、１２３−２、…、１２３−Ｍ、１２４、１２５を有する。また、ＨＳ−ＳＣＣＨ送信電力設定部１１４は、オフセット設定部１２６、オフセット調整部１２７およびＨＳ−ＳＣＣＨ送信電力算出部１２８を有する。なお、以下の記述において、Ａ−ＤＰＣＨ用信号生成部１２１−１〜１２１−Ｍについて説明するときは「Ａ−ＤＰＣＨ用信号生成部１２１」と言い、乗算部１２３−１〜１２３−Ｍについて説明するときは「乗算部１２３」と言う。
【００２４】
ＲＦ部１０２は、アンテナ１０１を介してＭＳ４０ａ、４０ｂから受信した信号に対してダウンコンバートなどの所定の無線受信処理を施し、復調部１０４に出力する。また、ＭＵＸ１０３から入力された信号に対してアップコンバートなどの所定の無線送信処理を施し、アンテナ１０１を介してＭＳ４０ａ、４０ｂに送信する。
【００２５】
復調部１０４は、ＲＦ部１０２から入力された信号を復調する。
【００２６】
ＡＣＫ／ＮＡＣＫ／ＤＴＸ抽出部１０５は、復調信号から受信判定情報（ＡＣＫ、ＮＡＣＫまたはＤＴＸ）を抽出する。なお、ＨＳ−ＳＣＣＨの受信が失敗したとき、ＤＴＸが抽出される。ＨＳ−ＳＣＣＨの受信が成功したとき、ＡＣＫまたはＮＡＣＫが抽出される。ＡＣＫは、ＨＳ−ＤＳＣＨの受信の成功を示すものであり、ＮＡＣＫは、ＨＳ−ＤＳＣＨの受信の失敗を示すものである。
【００２７】
ＣＱＩ抽出部１０６は、ＭＳ４０ａ、４０ｂから報告された受信品質情報であるＣＱＩを復調信号から抽出する。ｆＤ検知部１０７は、復調信号を用いて最大ドップラー周波数（ｆＤ）の検知を行う。ＴＰＣ抽出部１０８は、復調信号からＴＰＣ（Transmission Power Control）コマンドを抽出する。
【００２８】
スケジューリング係数計算部１０９は、ＡＣＫ／ＮＡＣＫ／ＤＴＸ抽出部１０５により抽出された受信判定情報およびＣＱＩ抽出部１０６により抽出されたＣＱＩを用いて平均データレートおよび瞬時送信可能データレートなどを算出する。これにより、プライオリティキュー１１６内の各キューの優先度を算出しＴＦＲ選択部１１０に通知する。
【００２９】
ＴＦＲ選択部１１０は、スケジューリング係数計算部１０９からの入力に基づいて優先度が最大のキューを選択し、選択結果をスイッチ１１７に通知する。また、ＣＱＩ抽出部１０６により抽出されたＣＱＩ、電力リソースおよびコードリソースなどに従って、変調方式、符号化率、トランスポートブロックサイズおよびコード数などの送信条件を決定する。そして、送信条件を示す制御信号を用いてＴＢ作成部１１８、ＨＡＲＱ部１１９および変調部１２０を制御する。
【００３０】
ＩＤ通知部１１１は、ＴＦＲ選択部１１０の優先度演算により選択されたキューに対応するＭＳの識別情報（ＩＤ）をオフセット設定部１２６およびＨＳ−ＳＣＣＨ用信号生成部１２２に通知する。
【００３１】
プライオリティキュー１１６は、ＭＳ４０ａ、４０ｂに送信すべきパケットデータをＲＮＣ２０からＩｕｂインタフェースを介し受け取る。そして、この送信データを、プライオリティクラス（サービスクラス）毎に設けられているキューに格納する。プライオリティクラスは、送信データの受信と同時にＲＮＣ２０から通知される。
【００３２】
スイッチ１１７は、プライオリティキュー１１６内の複数のキューに対応して存在する複数の出力端子の中から、ＴＦＲ選択部１１０の優先度演算により選択されたキューに対応する出力端子を選択することにより、プライオリティキュー１１６から出力されるパケットデータを切り替える。
【００３３】
ＴＢ作成部１１８は、スイッチ１１７を介して受け取った複数の送信パケットデータをひとまとまりにすることにより、トランスポートブロック（ＴＢ）を作成する。ＴＢの作成は、ＴＦＲ選択部１１０からの制御信号に従って行われる。送信パケットデータは、ＴＢ単位でＨＡＲＱ部１１９に出力される。
【００３４】
ＨＡＲＱ部１１９は、ＴＢ作成部１１８から出力された送信パケットデータを、符号化および再送制御しながら変調部１２０に出力する。ＭＳ４０ａ、４０ｂからＮＡＣＫを受信した場合、再送待ちの送信データは、一時的に蓄積され、送信の順番が来たときに変調部１２０に出力される。なお、このようなＨＡＲＱプロセスにおいて、送信可能な全てのＴＢが送信待ちの状態にある場合は、優先度演算以降の処理を停止する。
【００３５】
変調部１２０は、ＨＡＲＱ部１１９からの送信データに対して、制御信号によって指定された変調方式で変調処理を行う。このようにして生成されたＨＳ−ＤＳＣＨ変調信号は、乗算部１２４に出力される。乗算部１２４は、変調信号の宛先ＭＳ（ＩＤ＝ｉ：ｉは変数）に対して設定されたＨＳ−ＤＳＣＨの送信電力ＰＨＳ−ＤＳＣＨ，ｉを当該変調信号に乗算する。ＨＳ−ＤＳＣＨの送信電力はＴＦＲ選択部１１０からの制御信号により決定される。このようにしてＨＳ−ＤＳＣＨの送信電力が制御される。
【００３６】
Ａ−ＤＰＣＨ用信号生成部１２１および乗算部１２３は、個々の接続中のＭＳ（接続ＭＳ）に対応する。Ａ−ＤＰＣＨ用信号生成部１２１は、ＴＰＣコマンドや個別データなどから、対応する接続ＭＳに対するＡ−ＤＰＣＨ用信号を生成する。乗算部１２３は、Ａ−ＤＰＣＨ用信号の接続ＭＳに対して設定されたＡ−ＤＰＣＨの送信電力ＰＡ−ＤＰＣＨ，ｉを当該信号に乗算する。このようにして下り回線のＡ−ＤＰＣＨの送信電力が制御される。
【００３７】
ＨＳ−ＳＣＣＨ用信号生成部１２２は、ＴＦＲ選択部１１０からの制御信号およびＩＤ通知部１１１からのＩＤからＨＳ−ＳＣＣＨ用信号を生成する。乗算部１２５は、ＨＳ−ＳＣＣＨ用信号の宛先ＭＳ（ＩＤ＝ｉ）に対して設定されたＨＳ−ＳＣＣＨの送信電力ＰＨＳ−ＳＣＣＨ，ｉを当該信号に乗算する。このようにしてＨＳ−ＳＣＣＨの送信電力が制御される。ＭＵＸ１０３は、乗算部１２３、１２４、１２５の出力を多重する。
【００３８】
テーブル選択部１１２は、その内部に記憶領域を有する。記憶領域には、複数（例えばＮ個）のテーブルが予め記憶されている。ｆＤ検知部１０７により検知されるｆＤの数値がＮ個の範囲に予め分割されており、Ｎ個のテーブルはＮ個の範囲にそれぞれ対応している。
【００３９】
例えば、図３（Ａ）に示す第１のテーブルは、Ｎ個の範囲のうち第１の範囲に対応し、この第１の範囲に属するｆＤは、他の範囲に属するものよりも高い。また、図３（Ｂ）に示す第２のテーブルは、Ｎ個の範囲のうち第Ｎの範囲に対応し、この第Ｎの範囲に属するｆＤは、他の範囲に属するものよりも低い。
【００４０】
また、第１のテーブルに関して、ＣＱＩの数値は複数（例えばＡ個）の範囲（０〜Ｘ１０、Ｘ１０〜Ｘ１１、Ｘ１１〜Ｘ１２、Ｘ１２〜Ｘ１３、…、Ｘ１Ａ−１〜Ｘ１Ａ：図３（Ａ）の場合、０＜Ｘ１０＜Ｘ１１＜Ｘ１２＜Ｘ１３＜Ｘ１Ａ−１＜Ｘ１Ａ）に予め分割されている。そして、これらの範囲の各々に対して目標ブロック誤り率Target_BLER（０．０１、Ｙ１１、Ｙ１２、Ｙ１３、…、Ｙ１Ａ：図３（Ａ）の場合、０．０１＞Ｙ１１＞Ｙ１２＞Ｙ１３＞Ｙ１Ａ）が予め指定されている。すなわち、Ａ個の段階の目標ブロック誤り率Target_BLERが設けられている。図３（Ａ）に示されているとおり、目標ブロック誤り率Target_BLERは、ＣＱＩの値が大きくなるにつれて段階的に低くなりＣＱＩの値が小さくなるにつれて段階的に高くなるように指定されている。
【００４１】
また、第２のテーブルに関して、ＣＱＩの数値は複数（例えばＢ個）の範囲（０〜ＸＮ０、ＸＮ０〜ＸＮ１、ＸＮ１〜ＸＮ２、ＸＮ２〜ＸＮ３、…、ＸＮＢ−１〜ＸＮＢ：図３（Ｂ）の場合、０＜ＸＮ０＜ＸＮ１＜ＸＮ２＜ＸＮ３＜ＸＮＢ−１＜ＸＮＢ）に予め分割されている。そして、これらの範囲の各々に対して目標ブロック誤り率Target_BLER（０．０１、ＹＮ１、ＹＮ２、ＹＮ３、…、ＹＮＢ：図３（Ｂ）の場合、０．０１＞ＹＮ１＞ＹＮ２＞ＹＮ３＞ＹＮＢ）が予め指定されている。すなわち、Ｂ個の段階の目標ブロック誤り率Target_BLERが設けられている。図３（Ｂ）に示されているとおり、目標ブロック誤り率Target_BLERは、ＣＱＩの値が大きくなるにつれて段階的に低くなりＣＱＩの値が小さくなるにつれて段階的に高くなるように指定されている。
【００４２】
テーブル選択部１１２は、ｆＤに関するＮ個の範囲のうち、ｆＤ検知部１０７により抽出されたｆＤが属する範囲に対応するテーブルを選択する。選択されたテーブルは、目標誤り率設定部１１３に通知される。
【００４３】
目標誤り率設定部１１３は、テーブル選択部１１２から通知されたテーブルに示されたＣＱＩの範囲のうち、ＣＱＩ抽出部１０６により抽出されたＣＱＩが属する範囲に対応する目標ブロック誤り率Target_BLERを選択する。このようにして、各ＭＳ宛ての制御情報を送信するときに使用すべき目標ブロック誤り率Target_BLERをＭＳ毎に個別に決定する。選択された目標ブロック誤り率Target_BLERはオフセット調整部１２７に通知される。
【００４４】
Ａ−ＤＰＣＨ送信電力設定部１１５は、ＴＰＣ抽出部１０８により抽出されたＴＰＣコマンドに従って、接続ＭＳに対する下り方向のＡ−ＤＰＣＨの送信電力ＰＡ−ＤＰＣＨ，ｉを設定する。つまり、送信電力ＰＡ−ＤＰＣＨ，ｉは、ＭＳ毎に個別に設定される。送信電力ＰＡ−ＤＰＣＨ，ｉは、ＨＳ−ＳＣＣＨ送信電力算出部１２８および接続ＭＳに対応する乗算部１２３に入力される。
【００４５】
ＨＳ−ＳＣＣＨ送信電力設定部１１４では、設定された送信電力ＰＡ−ＤＰＣＨ，ｉおよび目標ブロック誤り率Target_BLERに基づいて、ＩＤ＝ｉのＭＳ宛ての制御情報を送信するときのＨＳ−ＳＣＣＨの送信電力ＰＨＳ−ＳＣＣＨ，ｉの設定が行われる。
【００４６】
ＨＳ−ＳＣＣＨ送信電力設定部１１４において、オフセット設定部１２６は、上位局たるＲＮＣ２０から初期電力オフセット値Δｉｎｉの通知を受けるとともに、ＩＤ通知部１１１から宛先ＭＳの識別情報の通知を受ける。なお、初期電力オフセット値Δｉｎｉは、ＭＳの伝搬環境の急激な変動があった場合およびしばらくＭＳに対して割り当てが発生しなかった場合に、ＲＮＣ２０からの新たな通知により更新される。
【００４７】
オフセット設定部１２６は、通知された初期電力オフセット値Δｉｎｉに、ハンドオーバ状態、ｆＤ検知部１０７により検知されたｆＤおよびＣＱＩ抽出部１０６により抽出されたＣＱＩを考慮して算出された値を加算することにより、ＩＤ＝ｉのＭＳに対する電力オフセット値Δｉを決定する。因みに、ｆＤやＣＱＩが高いほど、電力オフセット値Δｉが大きくなる。この値は、伝搬環境に対応した値となる。
【００４８】
オフセット調整部１２７は、オフセット設定部１２６により決定された電力オフセット値Δｉに対して、目標ブロック誤り率Target_BLERを満たすような調整を施す。また、ＡＣＫ／ＮＡＣＫ／ＤＴＸ抽出部１０５により抽出された受信判定情報にも基づいて、電力オフセット値Δｉの調整を行う。例えば、受信判定情報がＡＣＫ／ＮＡＣＫの場合は、ＨＳ−ＳＣＣＨの受信に成功したと判定されるので、電力オフセット値Δｉを下げる方向に変動させる。一方、受信判定情報がＤＴＸの場合は、ＨＳ−ＳＣＣＨの受信に失敗したと判定されるので、電力オフセット値Δｉを上げる方向に変動させる。このときの増減幅は、設定された目標ブロック誤り率Target_BLERを満たすように与えられる。このように調整することにより、ＭＳの伝搬環境の変動に対応した電力オフセット値にする。
【００４９】
ＨＳ−ＳＣＣＨ送信電力算出部１２８は、次の（式１）を用いて、つまり送信電力ＰＡ−ＤＰＣＨ，ｉに、調整後の電力オフセット値Δｉを加算することにより、ＨＳ−ＳＣＣＨの送信電力ＰＨＳ−ＳＣＣＨ，ｉを算出する。算出された送信電力ＰＨＳ−ＳＣＣＨ，ｉは、乗算部１２５に入力される。
ＰＨＳ−ＳＣＣＨ，ｉ＝ＰＡ−ＤＰＣＨ，ｉ＋Δｉ  …（式１）
【００５０】
なお、上記構成を有する基地局装置３０において、テーブル選択部１１２、目標誤り率設定部１１３およびＨＳ−ＳＣＣＨ送信電力設定部１１４は、ＨＳ−ＳＣＣＨ送信電力制御部を構成する。また、スケジューリング係数計算部１０９、ＴＦＲ選択部１１０、ＩＤ通知部１１１、プライオリティキュー１１６、スイッチ１１７、ＴＢ作成部１１８およびＨＡＲＱ部１１９は、スケジューリング部を構成する。また、ＨＳ−ＳＣＣＨ送信電力制御部およびスケジューリング部は、ＭＡＣ−ｈｓ部（Medium Access Control used for high speed）に含まれる。
【００５１】
次いで、上記構成を有する基地局装置３０でのＨＳ−ＳＣＣＨ送信電力制御動作について説明する。ここでは、２つのケースを例に挙げて順に説明する。説明の簡略化のため、いずれのケースにおいても、テーブル選択部１１２には、所定値以上のドップラー周波数に対応づけられた第１のテーブルと、所定値未満のドップラー周波数に対応づけられた第２のテーブルと、が予め記憶されている。
【００５２】
１番目のケースでは、図４（Ａ）に示す第１のテーブルに４段階の目標ブロック誤り率Target_BLERが設けられており、図４（Ｂ）に示す第２のテーブルにも４段階の目標ブロック誤り率Target_BLERが設けられている。
【００５３】
例えば、第１のテーブルがテーブル選択部１１２により選択されているときにＣＱＩ抽出部１０６により抽出されたＣＱＩがＸ１０以下である場合、目標ブロック誤り率Target_BLERは目標誤り率設定部１１３により０．０１に設定される。そして、ＨＳ−ＳＣＣＨ送信電力設定部１１４で、設定された目標ブロック誤り率Target_BLERを満たすような電力オフセット値Δｉが求められ、ＨＳ−ＳＣＣＨの送信電力ＰＨＳ−ＳＣＣＨ，ｉが算出される。
【００５４】
その後、ＩＤ＝ｉのＭＳから報告されたＣＱＩの数値が上昇しＸ１０を超過した場合、目標ブロック誤り率Target_BLERが下げられ、Ｘ１０〜Ｘ１１の範囲に対応するＹ１１に変更される。この変更に伴い、ＨＳ−ＳＣＣＨ送信電力設定部１１４では、電力オフセット値Δｉが大きくなるよう調整され、この結果、送信電力ＰＨＳ−ＳＣＣＨ，ｉが大きくなるよう変更される。したがって、伝搬環境の良いＭＳでのデータ受信が、より確実に成功するようになる。
【００５５】
また、例えば、第２のテーブルがテーブル選択部１１２により選択されているときにＣＱＩ抽出部１０６により抽出されたＣＱＩがＸ２０以下である場合、目標ブロック誤り率Target_BLERは目標誤り率設定部１１３により０．０１に設定される。そして、ＨＳ−ＳＣＣＨ送信電力設定部１１４で、設定された目標ブロック誤り率Target_BLERを満たすような電力オフセット値Δｉが求められ、ＨＳ−ＳＣＣＨの送信電力ＰＨＳ−ＳＣＣＨ，ｉが算出される。
【００５６】
その後、ＩＤ＝ｉのＭＳから報告されたＣＱＩの数値が上昇しＸ２０を超過した場合、目標ブロック誤り率Target_BLERが下げられ、Ｘ２０〜Ｘ２１の範囲に対応するＹ２１に変更される。この変更に伴い、ＨＳ−ＳＣＣＨ送信電力設定部１１４では、電力オフセット値Δｉが大きくなるよう調整され、この結果、送信電力ＰＨＳ−ＳＣＣＨ，ｉが大きくなるよう変更される。したがって、伝搬環境の良いＭＳでのデータ受信が、より確実に成功するようになる。
【００５７】
因みにこのケースでは、目標ブロック誤り率Target_BLER変更の閾値たるＣＱＩは、第１のテーブルおよび第２のテーブルで同じものに設定されている、すなわち、Ｘ１０＝Ｘ２０、Ｘ１１＝Ｘ２１、Ｘ１２＝Ｘ２２、Ｘ１３＝Ｘ２３である。そして、各段階の目標ブロック誤り率Target_BLERは、図４（Ｂ）に示すように、Ｙ２１＞Ｙ１１、Ｙ２２＞Ｙ１２、Ｙ２３＞Ｙ１３となるように設定されている。換言すれば、第１のテーブルにおける任意のＣＱＩ値に対する目標ブロック誤り率Target_BLERは、第２のテーブルにおける同ＣＱＩ値に対する目標ブロック誤り率Target_BLERよりも必ず小さい値を持つ。したがって、ＭＳの移動速度が比較的速く伝搬環境の変動が比較的激しい場合に受信成功率を高めることができるとともに、そうでない場合に電力リソースの浪費を防止することができる。
【００５８】
続いて、２番目のケースについて説明する。このケースでは、図５（Ａ）に示す第１のテーブルに８段階の目標ブロック誤り率Target_BLERが設けられており、図５（Ｂ）に示す第２のテーブルに４段階の目標ブロック誤り率Target_BLERが設けられている。
【００５９】
例えば、第１のテーブルがテーブル選択部１１２により選択されているときにＣＱＩ抽出部１０６により抽出されたＣＱＩがＸ１０以下である場合、目標ブロック誤り率Target_BLERは目標誤り率設定部１１３により０．０１に設定される。そして、ＨＳ−ＳＣＣＨ送信電力設定部１１４で、設定された目標ブロック誤り率Target_BLERを満たすような電力オフセット値Δｉが求められ、ＨＳ−ＳＣＣＨの送信電力ＰＨＳ−ＳＣＣＨ，ｉが算出される。
【００６０】
その後、ＩＤ＝ｉのＭＳから報告されたＣＱＩの数値が上昇しＸ１０を超過した場合、目標ブロック誤り率Target_BLERが下げられ、Ｘ１０〜Ｘ１１の範囲に対応するＹ１１に変更される。この変更に伴い、ＨＳ−ＳＣＣＨ送信電力設定部１１４では、電力オフセット値Δｉが大きくなるよう調整され、この結果、送信電力ＰＨＳ−ＳＣＣＨ，ｉが大きくなるよう変更される。したがって、伝搬環境の良いＭＳでのデータ受信が、より確実に成功するようになる。
【００６１】
また、例えば、第２のテーブルがテーブル選択部１１２により選択されているときにＣＱＩ抽出部１０６により抽出されたＣＱＩがＸ２０以下である場合、目標ブロック誤り率Target_BLERは目標誤り率設定部１１３により０．０１に設定される。そして、ＨＳ−ＳＣＣＨ送信電力設定部１１４で、設定された目標ブロック誤り率Target_BLERを満たすような電力オフセット値Δｉが求められ、ＨＳ−ＳＣＣＨの送信電力ＰＨＳ−ＳＣＣＨ，ｉが算出される。
【００６２】
その後、ＩＤ＝ｉのＭＳから報告されたＣＱＩの数値が上昇しＸ２０を超過した場合、目標ブロック誤り率Target_BLERが下げられ、Ｘ２０〜Ｘ２１の範囲に対応するＹ２１に変更される。この変更に伴い、ＨＳ−ＳＣＣＨ送信電力設定部１１４では、電力オフセット値Δｉが大きくなるよう調整され、この結果、送信電力ＰＨＳ−ＳＣＣＨ，ｉが大きくなるよう変更される。したがって、伝搬環境の良いＭＳでのデータ受信が、より確実に成功するようになる。
【００６３】
因みにこのケースにおいて、目標ブロック誤り率Target_BLER変更の閾値たるＣＱＩの数は、第２のテーブルでは４個（Ｘ２０、Ｘ２１、Ｘ２２およびＸ２３：Ｘ２０＜Ｘ２１＜Ｘ２２＜Ｘ２３）であるのに対して第１のテーブルでは８個（Ｘ１０、Ｘ１１、Ｘ１２、Ｘ１３、Ｘ１４、Ｘ１５、Ｘ１６およびＸ１７：Ｘ１０＜Ｘ１４＜Ｘ１１＜Ｘ１５＜Ｘ１２＜Ｘ１６＜Ｘ１７＜Ｘ１３）である。すなわち、比較的高いｆＤに対応するテーブルにおいて、より多くのＣＱＩ閾値が設定されている。また、図４（Ａ）と図４（Ｂ）を比較参照すると明らかであるが、第１のテーブルの目標ブロック誤り率Target_BLER（０．０１、Ｙ１１、Ｙ１２、Ｙ１３、Ｙ１４、Ｙ１５、Ｙ１６およびＹ１７：０．０１＞Ｙ１１＞Ｙ１４＞Ｙ１２＞Ｙ１５＞Ｙ１３＞Ｙ１６＞Ｙ１７）は、第２のテーブルの目標ブロック誤り率Target_BLER（０．０１、Ｙ２１、Ｙ２２およびＹ２３：０．０１＞Ｙ２１＞Ｙ２２＞Ｙ２３）に比して、その段階的な低下または上昇が小刻みとなるように設定されている。また、第１のテーブルにおける任意のＣＱＩ値に対する目標ブロック誤り率Target_BLERは、第２のテーブルにおける同ＣＱＩ値に対する目標ブロック誤り率Target_BLERに等しいまたはそれよりも小さい値を持つ。したがって、ＭＳの移動速度が比較的速く伝搬環境の変動が比較的激しい場合において、伝搬環境の良い移動機に対して受信成功率を高めることができるとともに、電力リソースの浪費を防止することができる。
【００６４】
さらに、ｆＤが比較的低い場合は目標ブロック誤り率Target_BLERの段階的変動を小刻みに指定しなくとも一定レベルの受信特性を確保することができる。これに対し、ｆＤが比較的高い場合、目標ブロック誤り率Target_BLERの段階的変動を小刻みに指定するので、ｆＤが比較的低い場合と同等の受信特性をより確実に達成することができる。
【００６５】
前述のＨＳ−ＳＣＣＨ送信電力制御によれば、従来のＨＳ−ＳＣＣＨ送信電力制御に比べてより多くの電力リソースがＨＳ−ＳＣＣＨに費やされることとなる。図６を参照しながら説明すると、従来の制御方式は図中の曲線Ｆにより表される。本発明の制御方式は図中の曲線Ｅにより表される。本発明の制御方式では、伝搬環境が図中のＨにより表されるレベル（本実施の形態では、例えばＣＱＩ＝Ｘ１０またはＣＱＩ＝Ｘ２０）よりも良くなった場合に、費やされる電力リソースが従来の制御方式よりも多くなる。しかし、ＨＳ−ＳＣＣＨに費やされる送信電力は一般に、基地局装置の総送信電力に比してかなり小さい。このことは、よく知られた固定電力方式（破線Ｄで示すとおり、ＨＳ−ＳＣＣＨの送信電力ＰＨＳ−ＳＣＣＨが伝搬環境の良否に関係なく定数Ｇに固定）においても同様である。例えば、固定電力方式において、基地局間距離１．８ｋｍの３セクタセルに移動速度３km/hのＭＳが４０存在する場合、セクタ全体でＨＳ−ＳＣＣＨの受信誤り率１％を満たすために必要な送信電力の平均は、基地局装置の総送信電力の３％程度である。
【００６６】
また、前述のＨＳ−ＳＣＣＨ送信電力制御では、伝搬環境の比較的良いＭＳに対して受信誤り率を低くするために、送信電力を大きくして送信を行う。一方、伝搬環境の比較的良いＭＳは基地局近辺に存在していることが多く、この場合、もともとの送信電力が小さい。そのため、受信誤り率を低くすることによる干渉は問題にならない。
【００６７】
このように、本実施の形態によれば、Ａ−ＤＰＣＨを割り当てられた各ＭＳ宛ての制御情報を送信する場合のＨＳ−ＳＣＣＨの目標受信誤り率Target_BLERを、各ＭＳから報告されるＣＱＩに基づいて個別に設定するため、ＨＳ−ＳＣＣＨの送信電力ＰＨＳ−ＳＣＣＨをＭＳ毎に個別に設定することができ、例えば伝搬環境の良いＭＳ宛ての制御情報を送信する場合の受信成功率を高くすることができ、ユーザあたりまたはセクタあたりのスループットを向上することができ、ひいてはシステム全体のスループットの劣化を抑制することができる。
【産業上の利用可能性】
【００６８】
本発明の無線送信装置および送信電力制御方法は、スループットの劣化を抑制する効果を有し、ＨＳＤＰＡ方式を適用したセルラ型無線通信システムにおいて有用である。
【図面の簡単な説明】
【００６９】
【図１】本発明の一実施の形態に係る基地局装置を有するセルラ型無線通信システムの構成図
【図２】本実施の形態に係る基地局装置の構成を示すブロック図
【図３】（Ａ）本実施の形態に係るテーブル選択部に記憶された第１のテーブルを示す図、（Ｂ）本実施の形態に係るテーブル選択部に記憶された第２のテーブルを示す図
【図４】（Ａ）第１のテーブルに示された目標ブロック誤り率の例を説明するための図、（Ｂ）第２のテーブルに示された目標ブロック誤り率の例を説明するための図
【図５】（Ａ）第１のテーブルに示された目標ブロック誤り率の他の例を説明するための図、（Ｂ）第２のテーブルに示された目標ブロック誤り率の他の例を説明するための図
【図６】本実施の形態のＨＳ−ＳＣＣＨ送信電力制御により設定されるＨＳ−ＳＣＣＨ送信電力を説明するための図
【図７】ＨＳＤＰＡ方式の無線通信に供するチャネルの送信順を示す図
【図８】ＨＳＤＰＡ方式の無線通信に供するチャネルの送信タイミングを示す図
【符号の説明】
【００７０】
３０  基地局装置
１０５  ＡＣＫ／ＮＡＣＫ／ＤＴＸ抽出部
１０６  ＣＱＩ抽出部
１０７  ｆＤ検知部
１０８  ＴＰＣ抽出部
１０９  スケジューリング係数計算部
１１０  ＴＦＲ選択部
１１１  ＩＤ通知部
１１２  テーブル選択部
１１３  目標誤り率設定部
１１４  ＨＳ−ＳＣＣＨ送信電力設定部
１１５  Ａ−ＤＰＣＨ送信電力設定部
１２６  オフセット設定部
１２７  オフセット調整部
１２８  ＨＳ−ＳＣＣＨ送信電力算出部
【図１】
2005303836.tif 000003
【図２】
2005303836.tif 000004
【図３】
2005303836.tif 000005
【図４】
2005303836.tif 000006
【図５】
2005303836.tif 000007
【図６】
2005303836.tif 000008
【図７】
2005303836.tif 000009
【図８】
2005303836.tif 000010